(57)【要約】【課題】  例えばシジミ貝等の小型の貝類を規格に基づいて選別するのに好適であるし、洗浄・選別作業時に貝類を傷付けることがなく、洗浄・選別作業を確実に効率良く行う。【解決手段】  基台１上に支持した選別筒体５は下半部６と上半部７の二分割体に構成し、軸方向一側は貝類投入口５Ａに、他側は選別貝排出口５Ｂになっており、軸方向に沿って多数の選別用スリット５Ｄ、５Ｄ、・・・が形成してある。選別筒体５内には、油圧モータ９によって一体に回転するスクリュー８が設けてある。基台１には選別用スリット５Ｄに嵌入した貝類を除去するための嵌入貝類等除去手段と、洗浄水噴射手段が設置してある。選別筒体５にはホッパー１５内にベルトコンベアを備えた貝類供給装置１４から貝類を供給する。【選択図】  図５
0003105533.tif 000002
【実用新案登録請求の範囲】
【請求項１】
基台と、軸方向一端側の貝類投入口から他端側の選別貝排出口の間に、軸方向に所定の間隔で多数の選別用スリットを形成した筒体からなり、該基台上に回転可能に横設した選別筒体と、該選別筒体内に設けられ、選別筒体と一体に回転することにより、貝類を前記貝類投入口側から選別貝排出口側に送るスクリューと、該スクリュー及び選別筒体を回転駆動する駆動手段と、前記基台に支持され、摺接体が前記選別筒体に外側から摺接する嵌入貝等除去手段と、前記基台に支持され、前記選別筒体に向けて洗浄水を噴射する噴射手段とから構成してなる貝類の洗浄選別装置。
【請求項２】
前記選別筒体は、軸方向に沿った下半部と上半部の二分割体からなり、該上半部は下半部に対して開閉可能かつ係止可能に構成してあることを特徴とする請求項１記載の貝類の洗浄選別装置。
【請求項３】
前記嵌入貝類除去手段は、前記摺接体が前記選別筒体に対して接離可能に構成してあることを特徴とする請求項１記載の貝類の洗浄選別装置。
【請求項４】
前記選別筒体には、ホッパーに投入された貝類をコンベアによって強制的に送り出す貝類供給装置によって供給するように構成してあることを特徴とする請求項１記載の貝類の洗浄選別装置。
【請求項５】
前記貝類供給装置には、選別筒体側に貝類を定量かつ均一に送り出すと共に、異物を除去する仕切体を設けてあることを特徴とする請求項４記載の貝類の洗浄選別装置。
【考案の詳細な説明】
【技術分野】
【０００１】
本考案は、採取した貝類から厚さが規格以下の貝類や海藻、石等の雑物を分離しながら洗浄し、規格に適合する貝類を選別する作業を連続的に行う貝類の洗浄選別装置に関する。
【背景技術】
【０００２】
貝類を採取する際には、規格以下の貝類や、小石、海藻等の雑物が混入するし、泥等も付着しているため、採取した貝類から規格に適合したものと雑物を分離すると共に、洗浄する作業を船上や陸上で行う必要がある。この洗浄と選別の作業を効率よく行うために本件出願人は先に特許文献１に示す登録実用新案を提案した。この登録実用新案は、貝類の外形の大小と厚さをそれぞれ基準にした選別と洗浄を自動的に行うことができ、しかも貝類に与える振動が少ないので傷付けることがないし、従来の１０倍以上の処理能力を発揮できるものである。
【特許文献１】登録第３０４４１０９号実用新案公報
【考案の開示】
【考案が解決しようとする課題】
【０００３】
上述した従来技術は、大小選別筒体２と厚さ選別筒体８にかけて内側放水管２４、２４、２４を配置した構成にしてあるため、使用後の装置の洗浄や整備に手間が掛るという問題点、厚さを選別の基準にするが外形の大きさは選別の基準にしないシジミ貝等のような比較的小型の貝類の選別作業には向かないという問題点があった。
【０００４】
本考案は上述した従来技術の未解決の問題点に鑑みなされたもので、例えばシジミ貝等の小型の貝類を選別するのに好適であるし、洗浄・選別作業時に貝類を傷つけることがなく、洗浄・選別する貝類を定量かつ均一に自動供給するので作業を確実に、かつ効率よく行うことができると共に、使用後の装置の洗浄・整備も容易な貝類の洗浄選別装置を提供することを目的とする。
【課題を解決するための手段】
【０００５】
上述した課題を解決するために構成された本考案の手段は、基台と、軸方向一端側の貝類投入口から他端側の選別貝排出口の間に、軸方向に所定の間隔で多数の選別用スリットを形成した筒体からなり、該基台上に回転可能に横設した選別筒体と、該選別筒体内に設けられ、選別筒体と一体に回転することにより、貝類を前記貝類投入口側から選別貝排出口側に送るスクリューと、該スクリュー及び選別筒体を回転駆動する駆動手段と、前記基台に支持され、摺接体が前記選別筒体に外側から摺接する嵌入貝等除去手段と、前記基台に支持され、前記選別筒体に向けて洗浄水を噴射する噴射手段とからなる。
【０００６】
そして、前記選別筒体は、軸方向に沿った下半部と上半部の二分割体からなり、該上半部は下半部に対して開閉可能かつ係止可能に構成するとよい。
【０００７】
また、前記嵌入貝類除去手段は、前記摺接体が前記選別筒体に対して接離可能に構成するとよい。
【０００８】
更に、前記選別筒体には、ホッパーに投入された貝類をコンベアによって強制的に送り出す貝類供給装置によって供給するように構成するとよい。
【０００９】
また、前記貝類供給装置には、選別筒体側に貝類を定量かつ均一に送り出すと共に、異物を除去する仕切体を設けるとよい。
【考案の効果】
【００１０】
本考案は上述の如く構成したから、下記の諸効果を奏する。
（１）選別筒体内にスクリューを配置して一体に回転する構成にしたから、貝類を傷付けることなく送ることができるし、略均一に送ることができるから選別作業を効率よく行うことができると共に、むらなく洗浄することができる。
（２）選別筒体は上半部が下半部に対して開閉可能な二分割体に構成したから、汚れ易い選別筒体の内部及びスクリューの洗浄、整備を容易に、効率よく行うことができる。
（３）嵌入貝等除去手段は、摺接体を選別筒体に対して接離可能に構成してあるから、除去作業を行う必要がない場合には摺接体を離反させることにより、選別筒体の駆動源に対する負荷を低減できるし、選別筒体の洗浄時の邪魔になることがない。また、摺接体の摩耗や損傷を低減することができる。
（４）選別筒体には、貝類供給装置によって貝類を強制的に送り出すように構成したから、作業員は貝類をホッパーに供給する作業だけでよく、それ以降の洗浄・選別作業は自動的に行うので、作業効率に優れていると共に作業員の負担も軽減できる。
（５）貝類供給装置には、選別筒体側に貝類を均一に送り出すと共に、異物を除去する仕切体を設けたから、貝類の洗浄・選別作業を効率よく行うことができるし、選別筒体内に異物が混入して選別効率が低下する事態を防止することできる。
【考案を実施するための最良の形態】
【００１１】
以下、本考案の実施の形態を図面に基づき詳述する。図において、１は基台で、該基台１は長手方向に離間して配設した２本１組からなる３組の脚材２Ａ、２Ａ、２Ａと、該３組の脚材２Ａ、２Ａ、２Ａ間に架設した複数本の横支持材２Ｂにより構成した支持体２と、該支持体２に設けた支持板３と、長手方向両端に立設した一対の軸支持板４、４（一側のみ図示）とから大略構成してある。なお、本実施の形態に係る貝類洗浄選別装置を構成する基台１その他の構成部材には、防錆を考慮してステンレス鋼材を用いている。
【００１２】
５は採取したシジミ貝を選別基準とする所定の厚さ以上のシジミ貝と基準以下のシジミ貝及び雑物に選別するために、前記基台１上に配置した円筒状の選別筒体を示し、該選別筒体５は下半部６に対して上半部７が開閉可能な軸方向に沿った二分割体に構成してある。即ち、選別筒体５を構成する下半部６は、半円弧状の多数本の下枠材６Ａ、６Ａ、・・・と、該多数本の下枠材６Ａ、６Ａ、・・・を所定の間隔、本実施の形態では１４ｍｍの間隔で軸方向に列設させるために、下枠材６Ａ、６Ａ、・・・に周方向に離間して架設した多数本の連結材６Ｂ、６Ｂ、・・・とから構成してある。
【００１３】
また、７は前記下半部６に対して開閉可能に枢支した上半部７を示す。該上半部７は下半部６と同様に、半円弧状の多数本の上枠材７Ａ、７Ａ、・・・と、該多数本の上枠材７Ａ、７Ａ、・・・を所定の間隔、本実施の形態では１４ｍｍの間隔で軸方向に列設させるために、上枠材７Ａ、７Ａ、・・・に周方向に離間して架設した多数本の連結材７Ｂ、７Ｂ、・・・とから構成してある。そして、上半部７は下半部６に軸着して開閉可能になっていると共に、図示しない係止具により下半部６に係止するように構成してある。
【００１４】
かくして、円筒体からなる選別筒体５は、軸方向一端側の開口は貝類投入口５Ａになり、軸方向他端側は下半分６及び上半分７の下枠材６Ａ及び上枠材７Ａを除くことにより円周方向に帯状に開口する選別貝排出口５Ｂになり、選別筒体５の軸方向先端は円板状の閉塞板５Ｃで閉塞してある。そして、貝類投入口５から選別貝排出口５Ｂの間は１４ｍｍの隙間からなるシジミ貝の選別用スリット５Ｄ、５Ｄ、・・・が形成してある。
【００１５】
８は選別筒体５内に配置したスクリューで、該スクリュー８は両端側が基台１の一対の軸支持板４、４に回転可能に軸支された回転軸８Ａと、該回転軸８Ａの外周に固着したスクリュー本体８Ｂとから構成してある。９は基台１に立設した支持板４に設置した油圧モータで、該油圧モータ９の出力軸はカップリング９Ｂを介して回転軸８Ａの軸端に連結してあり、該油圧モータ９によってスクリュー８と選別筒体５は所定方向に一体に回転するようになっている。そして、選別筒体５の下方には規格以下のシジミ貝、小石、雑物等を側方に排出するための排出用シュータ１０が傾斜させて設置してあり、選別筒体５の選別貝排出口５Ｂの下方には回収用シュータ１１が設置してある。
【００１６】
１２は選別筒体５の選別用スリット５Ｄ、５Ｄ、・・・に嵌入した貝類や小石を除去するための嵌入貝類除去手段を示す。該嵌入貝類除去手段１２は選別筒体５の側方で長手方向に離間して基台に立設した一対の支柱１２Ａ、１２Ａと、該一対の支柱の上端に回動可能に軸支された可動腕１２Ｂ、１２Ｂと、該一対の可動腕１２Ｂ、１２Ｂ間に架設した基材１２Ｃと、該基材１２Ｃに儲けられ、選別筒体５の全長にわたって外周側から摺接するゴム製摺接体１２Ｄとから構成してあり、可動腕１２Ｂ、１２Ｂを矢示イ、ロ方向に回動させることにより、摺接体１２Ｄは選別筒体５に対して接離可能になっている。
【００１７】
１３は選別筒体５に向けて洗浄水を噴射する洗浄水噴射手段を示す。該洗浄水噴射手段１３は支持板３上に立設した支持脚１３Ａ、１３Ａと、該支持脚１３Ａ、１３Ａに支持されることにより選別筒体５の長手方向に平行に配設した噴射管１３Ｂと、該噴射管１３Ｂに軸方向に離間して設けた複数のノズル１３Ｃ、１３Ｃ、・・とから構成してあり、噴射管１３Ｂには海水等の洗浄水を圧送する給水ポンプ（但し、図示せず。）が供給ホース１３Ｄを介して接続してある。
【００１８】
更に、１４は採取した貝類を選別筒体５内に順次供給するために、貝類投入口５Ａに対向して基台１に搭載した貝類供給装置を示す。１５は該貝類供給装置１４を構成するホッパーで、該ホッパー１５は前、後板１５Ａ、１５Ｂ及び一対の側板１５Ｃ、１５Ｃによって平面では略四角形、側面では略逆台形状に構成し、底部から後板１５Ｂにかけて長方形の開口１５Ｄを形成したものからなっている。そして、該開口１５Ｄの下方には貝類投入口５Ａ側にシジミ貝、小石、海藻等の採取物を誘導するダクト１５Ｅが設置しあり、その外側は円錐台形状のカバー１５Ｆで囲繞してある。
【００１９】
１６はホッパー１５の開口１５Ｄに臨んで基台に搭載したベルトコンベアで、該ベルトコンベア１６は開口１５Ｄの前側に軸受を介して基台１に配置した前駆動軸１６Ａと、該前駆動軸１６Ａに軸着した前駆動プーリー１６Ｂと、該駆動プーリー１６Ｂから後板１５Ｂ側に離間した位置に軸受を介して基台１に配置した後駆動軸１６Ｃと、該後駆動軸１６Ｃに軸着した後駆動プーリ１６Ｄと、該前、後駆動プーリ１６Ｂ、１６Ｄ間に巻装した歯付きゴムベルト１６Ｅと、油圧モータからなる駆動モータ１６Ｆと、該駆動モータ１６Ｆの駆動歯車１６Ｇ、前駆動軸１６Ａ及び後駆動軸１６Ｃに夫々嵌着した従動歯車１６Ｈ、１６Ｊに巻装した駆動チェーン１６Ｋとから構成してある。
【００２０】
また、１７は前記歯付きゴムベルト１６Ｅの上方に間隔を存してホッパー１５内に配置した仕切体を示す。該仕切体１７はホッパー１５に立設した平板からなる縦仕切板１７Ａと、該縦仕切板１７Ａの下端から前方に向けて突設され、シジミ貝に混入した海藻等を除去すると共に、シジミ貝を適量に分離して送り出すための櫛歯状の横刃１５Ｂとから構成してある。そして、仕切体１７はホッパー１５内に投入され、歯付きゴムベルト１６Ｅにより貝類投入口５Ａ方向に送られるシジミ貝を均一に送ると共に、大きなゴミ、海藻等の異物を捕捉することにより、選別筒体５内にこれらが混入して選別作業の効率が妨げられる事態を防止するものである。
【００２１】
更に、１８はホッパー本体１３内に上方から水を供給するための水供給管で、該水供給管１８はホッパー１５内に供給するシジミ貝等がベルトコンベア１６側に円滑に移動するのを促進する潤滑剤となる水を散布するためのものである。また、１９は管継ぎ手２０を介してダクト１５Ｅの上方に横向きに配置した散水管を示し、該水放出管１９はダクト１５Ｅ上をシジミ貝が円滑に滑落するための水を放出するものである。
【００２２】
本実施の形態に係る貝類の洗浄選別装置は上述の構成からなり、採取してホッパー１５に投入した貝類等はベルトコンベア１６により開口１５Ｄからダクト１５Ｅを介して貝類投入口５Ａから選別筒体５内に送り込まれる。この際、ホッパー１５には水供給管１８から水を注入し、ダクト１５Ｅには散水管１９から水を放出することにより、シジミ貝等を円滑に移動させることができる。また、仕切体１７が歯付きベルト１６Ｅとの間隙Ｓを移動するシジミ貝等の通過量を一定に規制すると共に均一にするので、選別筒体５の選別用スリット５Ｄ、５Ｄ、・・・からの選別もれを防止して効率良く選別することができるし、洗浄作業もむらなく均一に行われる。また、海藻等の大きな雑物は横刃１７Ｂにより除去するから、選別筒体５内に異物が混入して選別効率が低下したり、駆動する油圧モータ９に過大な負荷を掛ける事態を防止することできる。
【００２３】
回転する選別筒体５内に送られたシジミ貝等は、スクリュー８の回転に伴って選別貝排出口５Ｂ側に移動し、この間に厚さが規格以下のシジミ貝、小石、小さな雑物は多数の選別用スリット５Ｄ、５Ｄ、・・・から排出用シュータ１０に落下して除去される。他方、規格内のシジミ貝は選別用スリット５Ｄから落下することなく選別筒体５内を移動し、選別用排出口５Ｂから回収用シュータ１１に排出されることにより、シジミ貝の選別を自動的に行うことができる。この選別工程において、選別筒体５内を回転するスクリュー８はシジミ貝を押し出すようして移動させるので、損傷を受ける度合いが減少する。
【００２４】
また、本実施の形態によれば、選別筒体５を軸方向に沿って二分割体に構成し、上半部７が下半部６に対して開閉可能に構成したから、汚れ易い選別筒体５の内部及びスクリュー８の洗浄や整備を容易に、効率よく行うことができる。
【００２５】
選別工程において、シジミ貝が選別筒体５内を移動する間に選別用スリット５Ｄに嵌合してしまう現象が生じるが、嵌入貝等除去手段１２の摺接体１２Ｄを選別筒体５に対して摺接させ、選別筒体５内に強制的に落下させて除去することにより選別効率の低下を防止することができる。しかも、除去作業を行う必要がない場合には、選別筒体５から摺接体１２Ｄを離間させることにより、選別筒体５の駆動源である油圧モータ９に掛る負荷をゼロにできるし、選別筒体５の洗浄作業時に邪魔になることがない。また、摺接体１２Ｄの摩耗や損傷を低減することができる。
【図面の簡単な説明】
【００２６】
【図１】本考案の実施の形態に係る貝類の洗浄選別装置の正面図である。
【図２】選別筒体を開いて示す貝類の洗浄選別装置の平面図である。
【図３】貝類の洗浄選別装置の左側面図である。
【図４】貝類供給装置の概略構成図である。
【図５】貝類の洗浄選別装置の作動原理図である。
【図６】図５中のＶＩ−ＶＩ矢示方向から示す貝類の洗浄選別装置の作動原理図である。
【符号の説明】
【００２７】
１        基台
５        選別筒体
５Ａ      貝類投入口
５Ｂ      貝類排出口
５Ｄ      選別用スリット
６        下半部
７        上半部  
８        スクリュー
１２      嵌入貝等除去装置
１２Ｄ    摺接体
１３      洗浄水噴射装置
１４      貝類供給装置
１７      仕切体
【図１】
0003105533.tif 000003
【図２】
0003105533.tif 000004
【図３】
0003105533.tif 000005
【図４】
0003105533.tif 000006
【図５】
0003105533.tif 000007
【図６】
0003105533.tif 000008